(57)【要約】【課題】電子掲示板に利用者が知りたい情報が書き込まれた場合に、メールにて自動的に通知を受けることができ、利用者自身の検索する煩わしさを軽減することができる電子掲示板システムを提供する。【解決手段】電子掲示板システムの制御部１０３は、一定時間毎に、検索情報登録ＤＢ１０２から１件ずつ取得した検索情報に基づき掲示板ＤＢ１０１を検索して、掲示板ＤＢ１０１内に、投稿時間が現在時刻から一定時間以内であり、投稿者が検索情報の指定投稿者と一致し、且つ、検索情報のキーワードが本文に含まれているレコードが存在する場合、或いは、投稿時間が現在時刻から一定時間以内であり、且つ、検索情報の指定投稿者と一致するレコード、または、検索情報のキーワードが本文に含まれているレコードが存在する場合は、当該レコードの情報を編集し、その編集情報をメールサーバ１０５に送信する。【選択図】図１
2010020518.tif 000002
【特許請求の範囲】
【請求項１】
電子掲示板の掲示文章を格納する掲示板データベースと、
掲示板利用者端末から登録したキーワードと指定投稿者の少なくとも何れかが設定された検索情報、及び、前記検索情報に関連づけられた登録者情報を保存する検索情報登録データベースと、
掲示板利用者端末からの取得要求に応じて、電子掲示板、電子掲示板の掲示文章を登録させるための登録画面、前記掲示板データベースに保存されている情報を検索するための検索画面及び検索結果画面を送信するＷＥＢサーバと、
前記ＷＥＢサーバから送られてきた情報を処理し、前記掲示板データベースを更新及び検索する制御部と、
電子メールを送付する機能を備えたメールサーバとを具備するコンピュータから成る電子掲示板システムであって、
前記制御部は、一定時間毎に現在時刻を取得する手段と、
現在時刻を取得すると、前記検索情報登録データベースから登録された検索情報のレコードを１件ずつ取得し、取得したレコードに、キーワードと指定投稿者とが設定されているかを判定する手段と、
取得したレコードに、キーワードと指定投稿者の両方が設定されている場合、前記掲示板データベースを検索し、前記掲示板データベース内に、投稿時間が前記現在時刻から一定時間以内であり、投稿者が指定投稿者と一致し、且つ、設定されたキーワードが本文に含まれているレコードが存在するか判定する手段と、
該当するレコードが存在しない場合は、前記検索情報登録データベースから次のレコードを取得する手段と、
前記掲示板データベース内に該当するレコードが存在する場合は、当該レコードの情報を編集し、その編集情報を前記メールサーバに送信する手段と、
前記検索情報登録データベースから取得したレコードに、指定投稿者のみ、または、キーワードのみが設定されている場合、前記掲示板データベースを検索し、前記掲示板データベース内に、投稿時間が前記現在時刻から一定時間以内であり、且つ、設定された前記指定投稿者と一致するレコード、または、設定されたキーワードが本文に含まれているレコードが存在するか判定する手段と、
該当するレコードが存在しない場合は、前記検索情報登録データベースから次のレコードを取得する手段と、
前記掲示板データベース内に該当するレコードが存在する場合は、当該レコードの情報を編集し、その編集情報を前記メールサーバに送信する手段とを備え、
前記メールサーバは、前記制御部から前記編集情報を受信すると、前記検索情報に関連づけられた前記登録者情報のメールアドレスの掲示板利用者端末に、前記編集情報を含む電子メールを送信する手段を備えたことを特徴とする電子掲示板システム。
【発明の詳細な説明】
【技術分野】
【０００１】
本発明は登録したキーワードが掲示板に書き込まれると、自動的にメールにて通知する電子掲示板システムに関するものである。
【背景技術】
【０００２】
電子掲示板システムは、ユーザ間での情報共有の仕組みとしてインターネットの普及、さらにインターネットに接続可能な携帯電話等の携帯端末の普及に伴い広く用いられるようになっている。
図６は従来の一般的な電子掲示板システムの概要を示すブロック構成図であり、掲示文章記憶手段を備えた掲示板ＤＢ（database）６０１、ＷＥＢサーバ６０３、掲示板システムを制御する制御部６０２、公衆回線網６０４、ＰＣ（Personal Computer）６０５、基地局６０６、携帯電話６０７とから構成されている。また、ＰＣ６０５、携帯電話６０７はインターネットの利用及び電子メールの送受信が可能な機能を有する。
【０００３】
このような構成の電子掲示板システムにおいては、掲示板ＤＢ６０１は、掲示板利用者端末（ＰＣ６０５及び携帯電話６０７）から送信された掲示文章を、制御部６０２を介し、掲示板運営者が登録した掲示文書閲覧のためのＷＥＢページ（以下、「電子掲示板」という。）のＵＲＬと、掲示文章を電子掲示板に書き込んだ利用者の識別情報（サービスのＩＤ番号等）とを関連づけて保存している。
ＷＥＢサーバ６０３は、掲示板運営者が登録した複数の電子掲示板を保存しており、掲示板利用者端末（ＰＣ６０５及び携帯電話６０７）からの取得要求に応じて、制御部６０２を介し、掲示板ＤＢ６０１に保存した掲示文章を掲示した電子掲示板を掲示板利用者端末（ＰＣ６０５及び携帯電話６０７）に送信する。
【０００４】
なお、本発明に関連する公知技術文献としては下記の特許文献１がある。特許文献１は、電子掲示板の新たな投稿記事について、その投稿者の新たな投稿記事があったことを通知すべき通知対象者の選定と、選定された通知対象者の夫々に対して投稿記事についての情報の通知とを自動的に行い、電子掲示板に於ける情報伝達及び情報交換機能を強化し、電子掲示板の利便性向上を図るものである。
【特許文献１】特開２００３−２５６３２２号公報
【発明の開示】
【発明が解決しようとする課題】
【０００５】
掲示板での情報共有が活発になるに伴い、必要な情報を検索することが困難になっている。従来の構成の電子掲示板システムにおいては、知りたい情報を探すには、その都度、知りたい情報をキーワード検索している。
このような方法では、知りたい情報が書き込まれているかをその都度、掲示板にアクセスする必要がある。
つまり、知りたい情報が書き込まれていない場合でも、そうと分かる手段がないので、掲示板を頻繁に検索する手間が発生する。
また、携帯電話等の小型端末は画面が小さく、多くの情報を一度に表示できないため、検索することが困難である。
【０００６】
以上の現状に鑑み、本発明は、電子掲示板に利用者が知りたい情報が書き込まれた場合に、メールにて自動的に通知を受けることができ、利用者自身の検索する煩わしさを軽減し、また、利用者の検索にかかる時間を大幅に削減することができる電子掲示板システムを提供することを目的とする。
【課題を解決するための手段】
【０００７】
上記の課題を解決すべく、本発明は以下の構成を提供する。
請求項１に係る発明は、電子掲示板の掲示文章を格納する掲示板データベースと、
掲示板利用者端末から登録したキーワードと指定投稿者の少なくとも何れかが設定された検索情報、及び、前記検索情報に関連づけられた登録者情報を保存する検索情報登録データベースと、
掲示板利用者端末からの取得要求に応じて、電子掲示板、電子掲示板の掲示文章を登録させるための登録画面、前記掲示板データベースに保存されている情報を検索するための検索画面及び検索結果画面を送信するＷＥＢサーバと、
前記ＷＥＢサーバから送られてきた情報を処理し、前記掲示板データベースを更新及び検索する制御部と、
電子メールを送付する機能を備えたメールサーバとを具備するコンピュータから成る電子掲示板システムであって、
前記制御部は、一定時間毎に現在時刻を取得する手段と、
現在時刻を取得すると、前記検索情報登録データベースから登録された検索情報のレコードを１件ずつ取得し、取得したレコードに、キーワードと指定投稿者とが設定されているかを判定する手段と、
取得したレコードに、キーワードと指定投稿者の両方が設定されている場合、前記掲示板データベースを検索し、前記掲示板データベース内に、投稿時間が前記現在時刻から一定時間以内であり、投稿者が指定投稿者と一致し、且つ、設定されたキーワードが本文に含まれているレコードが存在するか判定する手段と、
該当するレコードが存在しない場合は、前記検索情報登録データベースから次のレコードを取得する手段と、
前記掲示板データベース内に該当するレコードが存在する場合は、当該レコードの情報を編集し、その編集情報を前記メールサーバに送信する手段と、
前記検索情報登録データベースから取得したレコードに、指定投稿者のみ、または、キーワードのみが設定されている場合、前記掲示板データベースを検索し、前記掲示板データベース内に、投稿時間が前記現在時刻から一定時間以内であり、且つ、設定された前記指定投稿者と一致するレコード、または、設定されたキーワードが本文に含まれているレコードが存在するか判定する手段と、
該当するレコードが存在しない場合は、前記検索情報登録データベースから次のレコードを取得する手段と、
前記掲示板データベース内に該当するレコードが存在する場合は、当該レコードの情報を編集し、その編集情報を前記メールサーバに送信する手段とを備え、
前記メールサーバは、前記制御部から前記編集情報を受信すると、前記検索情報に関連づけられた前記登録者情報のメールアドレスの掲示板利用者端末に、前記編集情報を含む電子メールを送信する手段を備えたことを特徴とする電子掲示板システムを提供するものである。
【発明の効果】
【０００８】
本発明の電子掲示板システムによれば、次のような効果がある。
電子掲示板にて、利用者が知りたい情報が書き込まれた場合に、自動的にメールにて通知することで、利用者自身が検索する煩わしさを軽減し、また、利用者の検索にかかる時間も大幅に削減することができる。
【発明を実施するための最良の形態】
【０００９】
以下、実施例を示した図面を参照しつつ本発明の実施の形態を説明する。
図１は、本発明の電子掲示板システムの一実施の形態例を示すシステム構成図である。
この実施例の電子掲示板システムは、掲示板ＤＢ（データベース）１０１、検索情報登録ＤＢ１０２、制御部１０３、ＷＥＢサーバ１０４、メールサーバ１０５とを備えたコンピュータから成る。
掲示板ＤＢ１０１は、掲示文章記憶手段を備えている。また、掲示板ＤＢ１０１は、掲示板利用者端末（ＰＣ１０７及び携帯電話１０９）から送信された掲示文章と、掲示板運営者が登録した掲示文書閲覧のためのＷＥＢページ（以下、「電子掲示板」という。）のＵＲＬと、掲示文章を電子掲示板に書き込んだ利用者の識別情報（ユーザＩＤ番号等）とを関連づけて保存している。
検索情報登録ＤＢ１０２は、検索情報記憶手段を備えている。また、検索情報登録ＤＢ１０２は、利用者が掲示板利用者端末から登録した検索キーワードを記憶する検索キーワードと登録者情報（ユーザＩＤ番号、登録者のＥメールアドレス等）とを関連づけて保存している。
【００１０】
制御部１０３は、ＷＥＢサーバ１０４から送られてきた情報を処理し、掲示板ＤＢ１０１を更新及び検索する処理を備える。つまり、従来の掲示板機能と同じように、掲示板への書き込み及び閲覧を制御する処理である。
また、制御部１０３は、ＷＥＢサーバ１０４から送られてきた情報を処理し、検索情報登録ＤＢ１０２を更新及び検索し、その情報をＷＥＢサーバ１０４へ送信する処理を備える。この機能が、本機能の特徴である、検索キーワードを検索情報登録ＤＢ１０２に追加、削除及び検索する機能である。
また、制御部１０３は、ＷＥＢサーバ１０４から送られてきた情報を処理し、メールサーバ１０５へ情報を送信する処理を備える。この機能も本機能の特徴であり、検索キーワードに合致する掲示板への書き込みがあった際に、検索キーワード登録者へ電子メールを送信するための処理である。
【００１１】
ＷＥＢサーバ１０４は、掲示板運営者が登録した複数の電子掲示板を保存しており、掲示板利用者端末（ＰＣ１０７及び携帯電話１０９）からの取得要求に応じて、制御部１０３を介し掲示板ＤＢ１０１に保存した掲示文章を掲示した電子掲示板画面を送信する。
また、ＷＥＢサーバ１０４は、掲示板利用者端末（ＰＣ１０７及び携帯電話１０９）からの取得要求に応じて、制御部１０３を介し掲示板ＤＢ１０１に掲示文章を登録するための登録画面を送信する。
また、ＷＥＢサーバ１０４は、掲示板利用者端末（ＰＣ１０７及び携帯電話１０９）からの取得要求に応じて、制御部１０３を介し掲示板ＤＢ１０１に保存されている情報を検索するための検索画面及び検索結果画面を送信する。
また、ＷＥＢサーバ１０４は、掲示板利用者端末（ＰＣ１０７及び携帯電話１０９）からの取得要求に応じて、制御部１０３を介し掲示板ＤＢ１０１に保存されている情報を検索し、掲示板利用者端末（ＰＣ１０７及び携帯電話１０９）へ通知するための通知画面を送信する。
【００１２】
メールサーバ１０５は、利用者が掲示板利用者端末（ＰＣ１０７及び携帯電話１０９）より、キーワードを登録した際に、制御部１０３より、登録情報が送付されるが、その送付情報を基に、編集処理を行い、掲示板利用者端末（ＰＣ１０７及び携帯電話１０９）へ登録処理を行った旨の電子メールを送付する機能を備えている。
また、メールサーバ１０５は利用者が掲示板利用者端末（ＰＣ１０７及び携帯電話１０９）より、連絡通知解除の処理を行った際に、ＷＥＢサーバ１０４を介し、制御部１０３より通知解除の情報が送付されるが、その送付情報を基に、編集処理を行い、掲示板利用者端末（ＰＣ１０７及び携帯電話１０９）へ通知解除を行った旨の電子メールを送付する機能を備えている。
また、メールサーバ１０５はキーワードが掲示板ＤＢ１０１の内容に合致する場合に、制御部１０３より、掲示板利用者端末（ＰＣ１０７及び携帯電話１０９）への通知に必要な情報が送付されるが、その送付情報を基に、編集処理を行い、掲示板利用者端末（ＰＣ１０７及び携帯電話１０９）へ検索キーワードに合致する書き込みがされた旨の電子メールを送付する機能を備えている。
なお、公衆回線網１０６、ＰＣ１０７、基地局１０８、携帯電話１０９は一般的な設備であり、本発明の対象外である。また、ＰＣ１０７、携帯電話１０９はインターネットの利用及び電子メールの送受信が可能な設備とする。
【００１３】
図２は掲示板ＤＢ１０１に格納されているデータの一例を示す図である。図に示すように、ＵＲＬ情報２０１、投稿日時２０２、タイトル２０３、ユーザＩＤ２０４、投稿者名２０５、投稿メールアドレス２０６、本文２０７の各エリアから構成されている。
ＵＲＬ情報２０１、投稿日時２０２は制御部１０３が設定する項目であり、タイトル２０３、ユーザＩＤ２０４、投稿者名２０５、投稿メールアドレス２０６、本文２０７は利用者が設定する項目である。また、掲示板ＤＢ１０１はＵＲＬ情報２０１、タイトル２０３、ユーザＩＤ２０４にてユニークになるように構成されている。
【００１４】
図３は検索情報登録ＤＢ１０２に格納されているデータの一例を示す図である。図に示すように、ユーザＩＤ３０１、メールアドレス３０２、ユーザ名３０３、キーワード３０４、指定投稿者３０５の各エリアから構成されている。検索情報登録ＤＢ１０２は、ユーザＩＤ３０１、メールアドレス３０２、キーワード３０４、指定投稿者３０５にてユニークになるように構成されている。また、キーワード３０４は複数設定することができ、キーワード３０４を複数設定した場合は各キーワードをＡＮＤ条件にて、掲示板データＤＢ１０１の本文２０７の検索を行う。また、キーワード３０４と指定投稿者３０５についてはどちらか一方には必ずデータを設定しなければならず、両方とも初期値であることは認めない。
【００１５】
図４は登録情報検索処理の概要を示すフローチャートである。制御部１０３では一定時間ごとに当該処理を実施する。以降、ここでは一定時間を１２時間と仮定して説明する。
まず現在時刻を取得する（ステップ４０１）。その後、検索情報登録ＤＢ１０２を１件ずつ、全件分処理を実施する（ステップ４０２）。次に、取得した検索情報登録ＤＢ１０２のレコードに、キーワード３０４と指定投稿者３０５が設定されているかを判定する（ステップ４０３）。もし、両方とも設定されている場合は、掲示板ＤＢ１０１を検索し、投稿時間がステップ４０１で取得した時間から１２時間（一定時間）以内であり、投稿者２０５が指定投稿者３０５と一致し、キーワード３０４が本文２０７に含まれているレコードがあるかを判定する（ステップ４０６）。
もし、存在する場合は、当該情報を編集し、編集情報をメールサーバに送信し、メールサーバが検索情報登録ＤＢ１０２のメールアドレス３０２の宛先に電子メールを送信する（ステップ４０８）。また、存在しない場合は、検索情報登録ＤＢ１０２の次のレコードを読み込み、処理を継続する。
【００１６】
また、ステップ４０３にて、キーワード３０４と指定投稿者３０５の両方が設定されていない場合は、指定投稿者３０５のみが設定されているか判定する（ステップ４０４）。
もし、指定投稿者３０５のみが設定されている場合は掲示板ＤＢ１０１を検索し、投稿時間がステップ４０１で取得した時間から１２時間（一定時間）以内であり、指定投稿者３０５が投稿者２０５と一致するレコードが掲示板ＤＢ１０１に存在するか判定する（ステップ４０７）。もし存在する場合は、上記記載のステップ４０８の処理を実施する。また、存在しない場合は、検索情報登録ＤＢ１０２の次のレコードを読み込み、処理を継続する。
【００１７】
またステップ４０４にて、指定投稿者３０５が設定されていない場合は、キーワード３０４が設定されているので、掲示板ＤＢ１０１を検索し、投稿時間がステップ４０１で取得した時間から１２時間（一定時間）以内であり、キーワード３０４が本文２０７に含まれているレコードが掲示板ＤＢ１０１にあるか判定する（ステップ４０５）。もし存在する場合は、上記記載のステップ４０８の処理を実施する。また、存在しない場合は、検索情報登録ＤＢ１０２の次のレコードを読み込み、処理を継続する。
【００１８】
図５は電子掲示板システムが掲示板利用者端末（ＰＣ１０７及び携帯電話１０９）に送付する電子メールの一例を示す図である。図に示すように、ＴＥＸＴ部（本文）５０１には利用者が登録したキーワードが掲示板に書き込まれた旨のメッセージ、登録していた検索キーワード、その情報を掲示板に書き込んだ投稿者、投稿時間、タイトル、掲示板に書き込まれた最初の数文字（５０文字程度）、その掲示板情報へアクセスできるＵＲＬを記載する。
【図面の簡単な説明】
【００１９】
【図１】本発明による電子掲示板システムを概略的に示す説明図である。
【図２】本発明による掲示板データベースに格納されているデータの構成図の一例である。
【図３】本発明による検索情報登録データベースに格納されているデータの構成図の一例である。
【図４】本発明による電子掲示板システムの処理の概要を示すフローチャートである。
【図５】本発明による電子掲示板システムが掲示板利用者端末に送付する電子メールの一例を示す図である。
【図６】従来例の電子掲示板システムを概略的に示す説明図である。
【符号の説明】
【００２０】
１０１  掲示板ＤＢ
１０２  検索情報登録ＤＢ
１０３  制御部
１０４  ＷＥＢサーバ
１０５  メールサーバ
３０２  メールアドレス
３０４  キーワード
３０５  指定投稿者
【図１】
2010020518.tif 000003
【図２】
2010020518.tif 000004
【図３】
2010020518.tif 000005
【図４】
2010020518.tif 000006
【図５】
2010020518.tif 000007
【図６】
2010020518.tif 000008